【事件の表示】
　特願２０１４−１３９５７６「プログラム、情報処理装置、コミュニケーションシステム及びコミュニケーション方法」拒絶査定不服審判事件〔平成２８年　２月　１日出願公開、特開２０１６−　１８３１３〕について、次のとおり審決する。
【結　論】
　本件審判の請求は、成り立たない。
【理　由】
第１　手続の経緯
　本願は，平成２６年７月７日の出願であって，平成３０年３月１２日付けで拒絶の理由が通知され，同年５月１６日に意見書とともに手続補正書が提出され，同年９月７日付けで拒絶査定（謄本送達日同年９月１１日）がなされ，これに対して同年１２月１１日に審判請求がなされるとともに手続補正がなされ，平成３１年２月６日付けで審査官により特許法１６４条３項の規定に基づく報告がなされたものである。
第２　平成３０年１２月１１日にされた手続補正についての補正の却下の決定
［補正の却下の決定の結論］
　平成３０年１２月１１日にされた手続補正（以下，「本件補正」という。）を却下する。
［理由］
１　本件補正の内容
　本件補正により，平成３０年５月１６日の手続補正により補正された特許請求の範囲，
「　【請求項１】
　第１のユーザに使用される第１の情報処理装置であって、第２のユーザに使用される第２の情報処理装置と通信可能な第１の情報処理装置のコンピュータを、
　撮像手段により撮像された前記第１のユーザに対応する第１の撮像画像を取得する取得手段と、
　前記取得手段により取得された第１の撮像画像に応じた第１のキャラクタ画像を決定する決定手段と、
　前記第２のユーザとのコミュニケーションにおいて、前記第１のユーザに対応する前記第１の撮像画像と前記第１のキャラクタ画像の少なくともいずれかを前記第２の情報処理装置に表示させるとともに、当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラムであって、
　前記表示制御手段は、前記第２の情報処理装置からの着信時における前記第１のユーザの操作に応じて、前記第１の撮像画像と前記第１のキャラクタ画像のいずれかを選択的に表示させる
　プログラム。
　　【請求項２】
　前記コミュニケーションがリアルタイムコミュニケーションである
　請求項１に記載のプログラム。
　　【請求項３】
　前記表示制御手段は、前記コミュニケーションの途中で、前記第２の情報処理装置に表示させる画像を前記第１の撮像画像及び前記第１のキャラクタ画像の一方から他方に切り替え、
　前記決定手段は、前記第２の情報処理装置に表示させる画像が前記第１の撮像画像から前記第１のキャラクタ画像に切り替わる場合に、切り替え前の前記第１の撮像画像に基づいて当該第１のキャラクタ画像を決定する
　請求項１又は２に記載のプログラム。
　　【請求項４】
　前記取得手段は、前記第２の情報処理装置からの着信を契機として前記撮像手段に撮像を要求する
　請求項１ないし３のいずれか１項に記載のプログラム。
　　【請求項５】
　前記第１の情報処理装置は、前記第１のユーザを含む複数のユーザが使用可能であり、
　前記コミュニケーションは、前記複数のユーザのいずれかを宛先とし、
　前記コンピュータを、
　前記第１のユーザを前記第１の撮像画像に基づいて特定し、当該第１のユーザが前記コミュニケーションの宛先であるか否かによって前記着信に対する応答を異ならせる応答制御手段としてさらに機能させる
　請求項４に記載のプログラム。
　　【請求項６】
　前記決定手段は、前記第１のユーザの顔の特徴に基づいて前記第１のキャラクタ画像を決定する
　請求項１ないし５のいずれか１項に記載のプログラム。
　　【請求項７】
　前記決定手段は、前記第１のキャラクタ画像を、あらかじめ登録された複数のキャラクタ画像の中から前記特徴に応じて決定する
　請求項６に記載のプログラム。
　　【請求項８】
　前記第１の情報処理装置は、複数のユーザが使用可能であり、
　前記決定手段は、前記第１のキャラクタ画像を、前記複数のユーザについてあらかじめ登録された前記複数のキャラクタ画像の中から前記特徴に応じて決定する
　請求項６に記載のプログラム。
　　【請求項９】
　前記決定手段は、前記特徴に基づいて前記第１のキャラクタ画像を生成する
　請求項６に記載のプログラム。
　　【請求項１０】
　前記第１のキャラクタ画像は、複数の部位別のパーツによって構成され、
　前記決定手段は、前記パーツを前記部位毎に選択して前記第１のキャラクタ画像を決定する
　請求項９に記載のプログラム。
　　【請求項１１】
　撮像手段により撮像された第１のユーザに対応する第１の撮像画像を取得する取得手段と、
　前記取得手段により取得された第１の撮像画像に応じた第１のキャラクタ画像を決定する決定手段と、
　第２のユーザとのコミュニケーションにおいて、前記第１のユーザに対応する前記第１の撮像画像と前記第１のキャラクタ画像の少なくともいずれかを当該第２のユーザに使用される他の情報処理装置に表示させるとともに、当該第２のユーザに対応する第２の撮像画像と第２のキャラクタ画像の少なくともいずれかを自装置に表示させるように制御する表示制御手段と
　を備え、
　前記表示制御手段は、前記他の情報処理装置からの着信時における前記第１のユーザの操作に応じて、前記第１の撮像画像と前記第１のキャラクタ画像のいずれかを選択的に表示させる
　情報処理装置。
　　【請求項１２】
　複数の情報処理装置を備え、
　各々の情報処理装置は、
　撮像手段により撮像されたユーザに対応する第１の撮像画像を取得する取得手段と、
　前記取得手段により取得された第１の撮像画像に応じた第１のキャラクタ画像を決定する決定手段と、
　前記取得手段により取得された第１の撮像画像を表す撮像データと前記決定手段により決定された第１のキャラクタ画像を表示させるためのデータの少なくともいずれかを他の情報処理装置に送信し、当該他の情報処理装置の前記取得手段により取得された第２の撮像画像を表す撮像データと当該他の情報処理装置の前記決定手段により決定された第２のキャラクタ画像を表示させるためのデータの少なくともいずれかを受信する通信手段と、
　前記通信手段により受信されたデータを用いて前記第２の撮像画像と前記第２のキャラクタ画像の少なくともいずれかを表示する表示手段とを備え、
　前記通信手段は、前記他の情報処理装置からの着信時における前記ユーザの操作に応じて、前記第１の撮像画像を表す撮像データと前記第１のキャラクタ画像を表示させるためのデータのいずれかを選択的に送信する
　コミュニケーションシステム。
　　【請求項１３】
　撮像手段により撮像された第１のユーザに対応する第１の撮像画像を取得する取得手段と、
　前記取得手段により取得された第１の撮像画像に応じた第１のキャラクタ画像を決定する決定手段と、
　前記第１のユーザと第２のユーザとのコミュニケーションにおいて、前記第１のユーザに対応する前記第１の撮像画像と前記第１のキャラクタ画像の少なくともいずれかを当該第２のユーザに使用される情報処理装置に表示させるとともに、当該第２のユーザに対応する第２の撮像画像と第２のキャラクタ画像の少なくともいずれかを当該第１のユーザに使用される情報処理装置に表示させるように制御する表示制御手段と
　を備え、
　前記表示制御手段は、前記第１のユーザに使用される情報処理装置において前記第２のユーザに使用される情報処理装置からの着信を検知した際に行われる前記第１のユーザの操作に応じて、前記第１の撮像画像と前記第１のキャラクタ画像のいずれかを選択的に表示させる
　コミュニケーションシステム。
　　【請求項１４】
　第１のユーザに対応する第１の撮像画像と、第２のユーザに対応する第２の撮像画像とをそれぞれ撮像し、
　前記第１の撮像画像に応じた第１のキャラクタ画像と、前記第２の撮像画像に応じた第２のキャラクタ画像とをそれぞれ決定し、
　前記第１のユーザと前記第２のユーザとのコミュニケーションにおいて、前記第２の撮像画像と前記第２のキャラクタ画像の少なくともいずれかを前記第１のユーザに使用される第１の情報処理装置に表示するとともに、前記第１のユーザに対応する前記第１の撮像画像と前記第１のキャラクタ画像の少なくともいずれかを前記第２のユーザに使用される第２の情報処理装置に表示する
　コミュニケーション方法であって、
　前記第１のユーザに使用される情報処理装置において前記第２のユーザに使用される情報処理装置からの着信を検知した際に行われる前記第１のユーザの操作に応じて、前記第１の撮像画像と前記第１のキャラクタ画像のいずれかを選択的に表示する
　コミュニケーション方法。
　　【請求項１５】
　第１のユーザに使用される第１の情報処理装置であって、第２のユーザに使用される第２の情報処理装置と通信可能な第１の情報処理装置のコンピュータを、
　前記第１のユーザを認証するために撮像手段により撮像された前記第１のユーザに対応する第１の撮像画像を取得する取得手段と、
　前記取得手段により取得された第１の撮像画像に応じた第１のキャラクタ画像を決定する決定手段と、
　前記第２のユーザとのコミュニケーションにおいて、前記第１のユーザに対応する前記第１の撮像画像と前記第１のキャラクタ画像の少なくともいずれかを前記第２の情報処理装置に表示させるとともに、当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラム。
　　【請求項１６】
　第１のユーザに使用される第１の情報処理装置であって、第２のユーザに使用される第２の情報処理装置と通信可能な第１の情報処理装置のコンピュータを、
　撮像手段により撮像された前記第１のユーザに対応する第１の撮像画像を取得する取得手段と、
　前記取得手段により取得された第１の撮像画像に応じた第１のキャラクタ画像を決定する決定手段と、
　前記第２のユーザとのコミュニケーションにおいて、前記第１のユーザに対応する前記第１の撮像画像と前記第１のキャラクタ画像の少なくともいずれかを前記第２の情報処理装置に表示させるとともに、当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラムであって、
　前記第１の情報処理装置は、前記第１のユーザを含む複数のユーザが使用可能であり、
　前記コミュニケーションは、前記複数のユーザのいずれかを宛先とし、
　前記コンピュータを、
　前記第１のユーザを前記第１の撮像画像に基づいて特定し、当該第１のユーザが前記コミュニケーションの宛先であるか否かによって前記第２の情報処理装置からの着信に対する応答を異ならせる応答制御手段としてさらに機能させる
　プログラム。」（以下，上記引用の請求項各項を「補正前の請求項」という）は，
「　【請求項１】
　第１のユーザに使用される第１の情報処理装置であって、第２のユーザに使用される第２の情報処理装置と通信可能な第１の情報処理装置のコンピュータを、
　前記第１のユーザを認証するために撮像手段により撮像された前記第１のユーザに対応する第１の撮像画像を取得する取得手段と、
　前記取得手段により取得された第１の撮像画像に応じた第１のキャラクタ画像を決定する決定手段と、
　前記第２のユーザとのコミュニケーションにおいて、前記第１のユーザに対応する前記第１の撮像画像と前記第１のキャラクタ画像の少なくともいずれかを前記第２の情報処理装置に表示させるとともに、当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラム。
　　【請求項２】
　第１のユーザに使用される第１の情報処理装置であって、第２のユーザに使用される第２の情報処理装置と通信可能な第１の情報処理装置のコンピュータを、
　撮像手段により撮像された前記第１のユーザに対応する第１の撮像画像を取得する取得手段と、
　前記取得手段により取得された第１の撮像画像に応じた第１のキャラクタ画像を決定する決定手段と、
　前記第２のユーザとのコミュニケーションにおいて、前記第１のユーザに対応する前記第１の撮像画像と前記第１のキャラクタ画像の少なくともいずれかを前記第２の情報処理装置に表示させるとともに、当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラムであって、
　前記第１の情報処理装置は、前記第１のユーザを含む複数のユーザが使用可能であり、
　前記コミュニケーションは、前記複数のユーザのいずれかを宛先とし、
　前記コンピュータを、
　前記第１のユーザを前記第１の撮像画像に基づいて特定し、当該第１のユーザが前記コミュニケーションの宛先であるか否かによって前記第２の情報処理装置からの着信に対する応答を異ならせる応答制御手段としてさらに機能させる
　プログラム。
　　【請求項３】
　
第１のユーザを認証するために撮像手段により撮像された前記第１のユーザに対応する第１の撮像画像を取得する取得手段と、
　
前記取得手段により取得された第１の撮像画像に応じた第１のキャラクタ画像を決定する決定手段と、
　
第２のユーザとのコミュニケーションにおいて、前記第１のユーザに対応する前記第１の撮像画像と前記第１のキャラクタ画像の少なくともいずれかを当該第２のユーザに使用される他の情報処理装置に表示させるとともに、当該第２のユーザに対応する第２の撮像画像と当該第２の撮像画像に応じた第２のキャラクタ画像の少なくともいずれかを自装置に表示させるように制御する表示制御手段と
　
を備える情報処理装置。
　　【請求項４】
　
撮像手段により撮像された第１のユーザに対応する第１の撮像画像を取得する取得手段と、
　
前記取得手段により取得された第１の撮像画像に応じた第１のキャラクタ画像を決定する決定手段と、
　
第２のユーザとのコミュニケーションにおいて、前記第１のユーザに対応する前記第１の撮像画像と前記第１のキャラクタ画像の少なくともいずれかを当該第２のユーザに使用される他の情報処理装置に表示させるとともに、当該第２のユーザに対応する第２の撮像画像と当該第２の撮像画像に応じた第２のキャラクタ画像の少なくともいずれかを自装置に表示させるように制御する表示制御手段と
　
を備え、
　
自装置は、前記第１のユーザを含む複数のユーザが使用可能であり、
　
前記コミュニケーションは、前記複数のユーザのいずれかを宛先とし、
　
前記第１のユーザを前記第１の撮像画像に基づいて特定し、当該第１のユーザが前記コミュニケーションの宛先であるか否かによって前記他の情報処理装置からの着信に対する応答を異ならせる応答制御手段をさらに備える
　
情報処理装置。
　　【請求項５】
　
複数の情報処理装置を備え、
　
各々の情報処理装置は、
　
ユーザを認証するために撮像手段により撮像された前記ユーザに対応する撮像画像を取得する取得手段と、
　
前記取得手段により取得された撮像画像に応じたキャラクタ画像を決定する決定手段と、
　
前記取得手段により取得された撮像画像を表す撮像データと前記決定手段により決定されたキャラクタ画像を表示させるためのデータの少なくともいずれかを他の情報処理装置に送信し、当該他の情報処理装置の前記取得手段により取得された撮像画像を表す撮像データと当該他の情報処理装置の前記決定手段により決定されたキャラクタ画像を表示させるためのデータの少なくともいずれかを受信する通信手段と、
　
前記通信手段により受信されたデータを用いて前記撮像画像と前記キャラクタ画像の少なくともいずれかを表示する表示手段とを備える
　
コミュニケーションシステム。
　　【請求項６】
　
複数の情報処理装置を備え、
　
各々の情報処理装置は、
　
撮像手段により撮像されたユーザに対応する第１の撮像画像を取得する取得手段と、
　
前記取得手段により取得された第１の撮像画像に応じた第１のキャラクタ画像を決定する決定手段と、
　
他の情報処理装置とのコミュニケーションにおいて、前記取得手段により取得された第１の撮像画像を表す撮像データと前記決定手段により決定された第１のキャラクタ画像を表示させるためのデータの少なくともいずれかを前記他の情報処理装置に送信し、当該他の情報処理装置の前記取得手段により取得された第２の撮像画像を表す撮像データと当該他の情報処理装置の前記決定手段により決定された第２のキャラクタ画像を表示させるためのデータの少なくともいずれかを受信する通信手段と、
　
前記通信手段により受信されたデータを用いて前記第２の撮像画像と前記第２のキャラクタ画像の少なくともいずれかを表示する表示手段とを備え、
　
前記ユーザを含む複数のユーザが使用可能であり、
　
前記コミュニケーションは、前記複数のユーザのいずれかを宛先とし、
　
前記ユーザを前記第１の撮像画像に基づいて特定し、当該ユーザが前記コミュニケーションの宛先であるか否かによって前記他の情報処理装置からの着信に対する応答を異ならせる応答制御手段をさらに備える
　
コミュニケーションシステム。
　　【請求項７】
　
第１のユーザを認証するために撮像手段により撮像された前記第１のユーザに対応する第１の撮像画像を取得する取得手段と、
　
前記取得手段により取得された第１の撮像画像に応じた第１のキャラクタ画像を決定する決定手段と、
　
第２のユーザとのコミュニケーションにおいて、前記第１のユーザに対応する前記第１の撮像画像と前記第１のキャラクタ画像の少なくともいずれかを当該第２のユーザに使用される他の情報処理装置に表示させるとともに、当該第２のユーザに対応する第２の撮像画像と当該第２の撮像画像に応じた第２のキャラクタ画像の少なくともいずれかを自システムに表示させるように制御する表示制御手段と
　
を備えるコミュニケーションシステム。
　　【請求項８】
　
撮像手段により撮像された第１のユーザに対応する第１の撮像画像を取得する取得手段と、
　
前記取得手段により取得された第１の撮像画像に応じた第１のキャラクタ画像を決定する決定手段と、
　
第２のユーザとのコミュニケーションにおいて、前記第１のユーザに対応する前記第１の撮像画像と前記第１のキャラクタ画像の少なくともいずれかを当該第２のユーザに使用される他の情報処理装置に表示させるとともに、当該第２のユーザに対応する第２の撮像画像と当該第２の撮像画像に応じた第２のキャラクタ画像の少なくともいずれかを自システムに表示させるように制御する表示制御手段と
　
を備え、
　
自システムは、前記第１のユーザを含む複数のユーザが使用可能であり、
　
前記コミュニケーションは、前記複数のユーザのいずれかを宛先とし、
　
前記第１のユーザを前記第１の撮像画像に基づいて特定し、当該第１のユーザが前記コミュニケーションの宛先であるか否かによって前記他の情報処理装置からの着信に対する応答を異ならせる応答制御手段をさらに備える
　
コミュニケーションシステム。
　　【請求項９】
　
第１のユーザを認証するために当該第１のユーザに対応する第１の撮像画像を撮像し、
　
第２のユーザを認証するために当該第２のユーザに対応する第２の撮像画像を撮像し、
　
前記第１の撮像画像に応じた第１のキャラクタ画像と、前記第２の撮像画像に応じた第２のキャラクタ画像とをそれぞれ決定し、
　
前記第１のユーザと前記第２のユーザとのコミュニケーションにおいて、前記第２の撮像画像と前記第２のキャラクタ画像の少なくともいずれかを前記第１のユーザに使用される第１の情報処理装置に表示するとともに、前記第１のユーザに対応する前記第１の撮像画像と前記第１のキャラクタ画像の少なくともいずれかを前記第２のユーザに使用される第２の情報処理装置に表示する
　
コミュニケーション方法。
　　【請求項１０】
　
第１のユーザに対応する第１の撮像画像と、第２のユーザに対応する第２の撮像画像とをそれぞれ撮像し、
　
前記第１の撮像画像に応じた第１のキャラクタ画像と、前記第２の撮像画像に応じた第２のキャラクタ画像とをそれぞれ決定し、
　
前記第１のユーザと前記第２のユーザとのコミュニケーションにおいて、前記第２の撮像画像と前記第２のキャラクタ画像の少なくともいずれかを前記第１のユーザに使用される第１の情報処理装置に表示するとともに、前記第１のユーザに対応する前記第１の撮像画像と前記第１のキャラクタ画像の少なくともいずれかを前記第２のユーザに使用される第２の情報処理装置に表示し、
　
前記第１の情報処理装置は、前記第１のユーザを含む複数のユーザが使用可能であり、
　
前記コミュニケーションは、前記複数のユーザのいずれかを宛先とし、
　
前記第１のユーザを前記第１の撮像画像に基づいて特定し、当該第１のユーザが前記コミュニケーションの宛先であるか否かによって前記第２の情報処理装置からの着信に対する応答を異ならせる
　
コミュニケーション方法。
２　補正事項
（１）補正事項１
　補正前の請求項１乃至１４を削除し，補正前の請求項１５を補正後の請求項１に，補正前の請求項１６を補正後の請求項２とする補正。
（２）補正事項２
　補正前の請求項１５及び１６に係る発明につき，末尾を「情報処理装置」と改めるとともに，補正後の請求項３及び４を新設する補正。
（３）補正事項３
　補正後の請求項５乃至１０を新たに追加する補正。
３　目的要件
　本件補正が，特許法１７条の２第５項の規定を満たすものであるか否か，即ち，本件補正が，特許法１７条の２第５項に規定する請求項の削除，特許請求の範囲の減縮（特許法３６条５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，或いは，明りょうでない記載の釈明（拒絶理由通知に係る拒絶の理由に示す事項についてするものに限る）の何れかを目的としたものであるかについて，以下に検討する。
（１）補正事項１について
　補正事項１は，補正前の請求項１乃至１４を削除するものであるから，特許法１７条の２第５項１号に定める，請求項の削除を目的としたものと認められる。
（２）補正事項２について
　補正後の請求項３は，補正前の請求項１５が「第１のユーザに使用される第１の情報処理装置であって、第２のユーザに使用される第２の情報処理装置と通信可能な第１の情報処理装置のコンピュータを、…取得手段と、…決定手段と、…表示制御手段として機能させるためのプログラム。」であったものに対し，末尾を「情報処理装置」とし，「…取得手段と、…決定手段と、…表示制御手段とを備える情報処理装置。」としたものであって，単にカテゴリー表現を異ならせたものといえる。
　補正後の請求項４は，補正前の請求項１６について，上記と同様にカテゴリー表現を異ならせたものといえるものの，補正事項２は，特許法１７条の２第５項に規定する何れかを目的としたものであるとはいえない。
（３）補正事項３について
　補正事項３は，補正前に存在しなかった補正後の請求項５乃至１０を新たに追加するものである。
　審判請求人は，審判請求書において，次のように主張している。（下線は当審で説明のために付加。以下同様。）
「（１）補正の根拠の明示 
 　出願人は、本審判請求書と同日付けで提出する手続補正書において特許請求の範囲を補正しています。主な補正内容は以下の通りです。 
 　ア．請求項１−１４を削除しています。 
 　イ．
請求項１５と比較して発明のカテゴリー表現のみが異なる請求項３、５、７及び９を追加しています
 　ウ．
請求項１６と比較して発明のカテゴリー表現のみが異なる請求項４、６、８及び１０を追加しています
 　以上述べた補正は、特許法第１７条の２第３項乃至第５項に規定する要件を満たすものであると考えます。」
　この主張によれば，補正後の請求項５，７及び９は補正前の請求項１５に対し，補正後の請求項６，８及び１０は補正前の請求項１６に対し，単に「カテゴリー表現のみが異なる」ものであるとの主張であるので，以下，これら補正後の請求項５，７及び９並びに補正後の請求項６，８及び１０が，それぞれ補正前の請求項１５及び補正前の請求項１６に対して，単にカテゴリー表現のみが異なるものといえるか否かについて，検討する。
ア　補正後の請求項５について
　補正後の請求項５は，補正前の請求項１５に対し，次のような補正事項Ａ乃至補正事項Ｄを含んでいる。
（ア）補正事項Ａ
　補正前の請求項１５の「第１のユーザに使用される
第１の情報処理装置であって
第１の情報処理装置のコンピュータを
機能させるプログラム
複数の情報処理装置を備え、各々の情報処理装置は
備えるコミュニケーションシステム
（イ）補正事項Ｂ
　補正前の請求項１５の「前記
第１のユーザ
第１のユーザ
第１の撮像画像
（ウ）補正事項Ｃ
　補正前の請求項１５の「前記取得手段により取得された
第１の撮像画像
第１のキャラクタ画像
（エ）補正事項Ｄ
　補正前の請求項１５の「前記第２のユーザとの
コミュニケーションにおいて
第２の情報処理装置に表示させるとともに
第１の情報処理装置に表示させる
表示制御手段
特定事項を削除し
表示させるためのデータの少なくともいずれかを他の情報処理装置に送信し、
表示させるためのデータの少なくともいずれかを受信する通信手段
表示する表示手段
追加する
イ　補正事項Ａ乃至Ｄについての判断
　上記補正事項Ａ乃至補正事項Ｄは，特許法１７条の２第５項に定める，請求項の削除，特許請求の範囲の減縮（特許法３６条５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，或いは，明りょうでない記載の釈明（拒絶理由通知に係る拒絶の理由に示す事項についてするものに限る）の何れかを目的としたものでないことは明らかである。
（４）目的要件むすび
　したがって，本件補正は，補正後の請求項６乃至１０に係る補正事項について検討するまでもなく，特許法１７条の２第５項の規定を満たしているとはいえない。
４　補正却下むすび
　以上のとおりであるから，本件補正は，特許法１７条の２第５項の規定に違反するものであり，特許法１５９条１項において読み替えて準用する同法５３条１項の規定により却下されるべきものである。
　よって，補正却下の決定の結論のとおり決定する。
第３　本願発明について
１　本願発明
　平成３０年１２月１１日にされた手続補正は，上記のとおり却下されたので，本願の請求項に係る発明は，平成３０年５月１６日にされた手続補正により補正された特許請求の範囲に記載された事項により特定されるものであるところ，その請求項１に係る発明（以下，「本願発明」という。）は，明細書及び図面の記載からみて，その請求項１に記載された事項により特定される，上記第２［理由］１に，補正前の請求項１として記載された次のとおりのものである。
「　【請求項１】
　第１のユーザに使用される第１の情報処理装置であって、第２のユーザに使用される第２の情報処理装置と通信可能な第１の情報処理装置のコンピュータを、
　撮像手段により撮像された前記第１のユーザに対応する第１の撮像画像を取得する取得手段と、
　前記取得手段により取得された第１の撮像画像に応じた第１のキャラクタ画像を決定する決定手段と、
　前記第２のユーザとのコミュニケーションにおいて、前記第１のユーザに対応する前記第１の撮像画像と前記第１のキャラクタ画像の少なくともいずれかを前記第２の情報処理装置に表示させるとともに、当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラムであって、
　前記表示制御手段は、前記第２の情報処理装置からの着信時における前記第１のユーザの操作に応じて、前記第１の撮像画像と前記第１のキャラクタ画像のいずれかを選択的に表示させる
　プログラム。」
２　原査定の拒絶の理由の概要
　この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法２９条２項の規定により特許を受けることができない。
　　　　　記　　　（引用文献等については引用文献等一覧参照）
・請求項　１，２，４，１１−１４
・引用文献等　１，２
（以下省略）
　　　　　　　　　　　　　＜引用文献等一覧＞
１.特開２００３−３７８２６号公報
２.特開２００２−１２５２０８号公報
（以下省略）
３　引用例
（１）引用例１に記載された事項
　原査定の拒絶の理由において引用した，本願の出願前に既に公知である，特開２００３−３７８２６号公報（平成１５年２月７日公開。以下，これを「引用例１」という。）には，関連する図面と共に，次の事項が記載されている。
Ａ　「【０００１】
【発明の属する技術分野】本発明は、
話者の音声の内容に合わせて話者の代理画像を生成し、表示する代理画像表示装置、および話者の音声と話者の画像（または話者の代理画像）を互いに送受しながら通話を行うテレビ電話装置
【０００２】
【
従来の技術
【０００３】また、
一般的なテレビ電話装置では、基本的に話者を撮影した画像をほぼそのまま通話相手に送るか、あるいは画像を送らないかの２通りを選択することができるようになっている
プライバシー保護、あるいはエンターテイメント性の向上等の観点から、各種のキャラクタ画像を話者の画像を代理する代理画像として通話相手に送る手法も提案されている
Ｂ　「【００２９】図１は、第１の実施形態のテレビ電話装置の構成を示す図である。図１に示す
テレビ電話装置１００は、カメラ１、ハンドセット２、表示部３、操作部４、制御部５、通信処理部６、メモリＩＦ（インタフェース）部７を含んで構成されている
【００３０】
カメラ１は、テレビ電話装置１００を用いて通話を行う利用者（話者）を撮影するためのものである
【００３１】
表示部３は、操作内容（例えば、電話番号等）やテレビ電話装置１００の動作状態などの表示を行う
表示部３は、通話相手から音声とともに画像が送られてきている場合に、この通話相手の画像を表示する
【００３２】
制御部５は、音声および画像を送受して通話を行うためにテレビ電話装置１００の全体動作を制御するものである
制御部５は、話者の音声と、カメラ１によって撮影される話者の画像（以後、「自画像」と称する）、あるいはこの自画像の代わりとなる画像（以後、「代理画像」と称する）を通話相手に送信する処理
を行う
この制御部５は、ＣＰＵ、ＲＯＭ、ＲＡＭ等のハードウェアを用いて所定の動作プログラムを実行することによりその機能が実現される
【００３３】通信処理部６は、通話相手との通話を行うために必要な所定の通信処理を行う。具体的には、
通信処理部６は、制御部５から出力される画像（代理画像または自画像）および音声を通話相手に送信する処理と、通話相手から送られてくる画像および音声を受信して制御部５に出力する処理を行う
【００３４】
メモリＩＦ部７は、制御部５がメモリ・カード５０に格納されたデータを読み取る際のインタフェース部である
メモリ・カード５０に所望の画像データを格納してメモリＩＦ部７に挿入し、制御部５に画像データを読み取らせることにより、代理画像の内容を任意に設定することができるようになっている
Ｃ　「【００３５】次に、制御部５の詳細構成について説明する。
制御部５は、音声認識部１０、代理画像メモリ１２、代理画像生成部１４、音声遅延処理部１６、送信画像設定部１８を備えている
【００３６】
代理画像メモリ１２は、
代理画像（静止代理画像）を格納している
【００３７】なお、図２に示す例では、所定のキャラクタ画像を用いた代理画像が示されているが、これ以外にも、
話者が自分で６種類の発音内容のそれぞれに対応した顔をカメラ１によって撮影して得られた画像や
任意のキャラクタ画像
などを代理画像として用いてもよい
Ｄ　「【００４２】上述したように
着信時における話者は、
最初に代理画像を送信し、話者の切替指示がなされた場合に話者の画像を送信することにより、話者のプライバシーを保護することができ
また発信時には、選択指示に応じて送信対象の画像を設定しているので、話者が自分の意志に沿って送信対象の画像を自由に設定することができる
Ｅ　「【００４８】また、所定の発信操作が行われていない場合には、上述したステップ１００で否定判断が行われ、この場合に
制御部５は、相手先からの電話を着信したか否かを判定する
【００４９】また、
電話を着信した場合には、
制御部５内の送信画像設定部１８は、送信対象とする画像の種別を自動的に代理画像に設定する
（２）引用発明
ア　上記記載事項Ａの「【発明の属する技術分野】本発明は、話者の音声の内容に合わせて話者の代理画像を生成し、表示する代理画像表示装置、および話者の音声と話者の画像（または話者の代理画像）を互いに送受しながら通話を行うテレビ電話装置に関する。」との記載事項，及び「【従来の技術】…（中略）…一般的なテレビ電話装置では、基本的に話者を撮影した画像をほぼそのまま通話相手に送るか、あるいは画像を送らないかの２通りを選択することができるようになっている。また、プライバシー保護、あるいはエンターテイメント性の向上等の観点から、各種のキャラクタ画像を話者の画像を代理する代理画像として通話相手に送る手法も提案されている。」との記載事項により，引用例１から，“話者の音声の内容に合わせて話者の代理画像を生成し，表示する代理画像表示装置，および話者の音声と話者の画像（または話者の代理画像）を互いに送受しながら通話を行うテレビ電話装置であって，
　従来，一般的なテレビ電話装置では，基本的に話者を撮影した画像をほぼそのまま通話相手に送るか，あるいは画像を送らないかの２通りを選択することができるようになっていて，プライバシー保護，あるいはエンターテイメント性の向上等の観点から，各種のキャラクタ画像を話者の画像を代理する代理画像として通話相手に送る手法が提案されていることを背景とし”たものであることを読み取ることができる。
イ　上記記載事項Ｂの「図１に示すテレビ電話装置１００は、カメラ１、ハンドセット２、表示部３、操作部４、制御部５、通信処理部６、メモリＩＦ（インタフェース）部７を含んで構成されている。」との記載及び上記アの認定により，引用例１から，“前記テレビ電話装置は，カメラ１，ハンドセット２，表示部３，操作部４，制御部５，通信処理部６，メモリＩＦ（インタフェース）部７を含んで構成され”ていることを読み取ることができる。
　また同じく記載事項Ｂの，「カメラ１は、テレビ電話装置１００を用いて通話を行う利用者（話者）を撮影するためのものである。」との記載，及び「表示部３は、操作内容（例えば、電話番号等）やテレビ電話装置１００の動作状態などの表示を行う。また表示部３は、通話相手から音声とともに画像が送られてきている場合に、この通話相手の画像を表示する。」との記載により，引用例１から，“前記カメラ１は，テレビ電話装置を用いて通話を行う利用者（話者）を撮影するためのもの”であること，及び“前記表示部３は，操作内容（例えば，電話番号等）やテレビ電話装置の動作状態などの表示を行い，通話相手から音声とともに画像が送られてきている場合に，この通話相手の画像を表示”することを読み取ることができる。
ウ　上記記載事項Ｂの「制御部５は、音声および画像を送受して通話を行うためにテレビ電話装置１００の全体動作を制御するものである。具体的には、制御部５は、話者の音声と、カメラ１によって撮影される話者の画像（以後、「自画像」と称する）、あるいはこの自画像の代わりとなる画像（以後、「代理画像」と称する）を通話相手に送信する処理や、通話相手から送られる音声や画像を受信してハンドセット２や表示部３に出力するなどの制御を行う。」との記載及び上記アの認定により，引用例１から，“前記制御部５は，音声および画像を送受して通話を行うためにテレビ電話装置の全体動作を制御し，話者の音声と，カメラ１によって撮影される話者の画像（以後，「自画像」と称する），あるいはこの自画像の代わりとなる画像（以後，「代理画像」と称する）を通話相手に送信する処理”を行うことを読み取ることができる。
　また同じく記載事項Ｂの「一般的には、この制御部５は、ＣＰＵ、ＲＯＭ、ＲＡＭ等のハードウェアを用いて所定の動作プログラムを実行することによりその機能が実現される。」との記載から，「制御部５」は，「動作プログラム」が「ＲＯＭ、ＲＡＭ等のハードウェアを用いて」実行されることによって機能するものであることが理解され，当該「制御部５」を備える引用例１の「テレビ電話装置」は，“プログラムによって制御されるコンピュータ”であることも読み取ることができるから，上記認定と併せ，引用例１から“前記制御部５は，音声および画像を送受して通話を行うためにテレビ電話装置の全体動作を制御し，話者の音声と，カメラ１によって撮影される話者の画像（以後，「自画像」と称する），あるいはこの自画像の代わりとなる画像（以後，「代理画像」と称する）を通話相手に送信する処理を行うプログラムによって機能が実現され，前記テレビ電話装置は，前記プログラムによって制御されるコンピュータ”であることを読み取ることができる。
エ　上記記載事項Ｂの，「通信処理部６は、制御部５から出力される画像（代理画像または自画像）および音声を通話相手に送信する処理と、通話相手から送られてくる画像および音声を受信して制御部５に出力する処理を行う。」との記載，及び「メモリＩＦ部７は、制御部５がメモリ・カード５０に格納されたデータを読み取る際のインタフェース部である。メモリ・カード５０は、半導体メモリによって構成されたデータ記憶媒体である。本実施形態では、このメモリ・カード５０に所望の画像データを格納してメモリＩＦ部７に挿入し、制御部５に画像データを読み取らせることにより、代理画像の内容を任意に設定することができるようになっている。」との記載により，引用例１から“通信処理部６は，制御部５から出力される画像（代理画像または自画像）および音声を通話相手に送信する処理と，通話相手から送られてくる画像および音声を受信して制御部５に出力する処理を行い，前記メモリＩＦ部７は，制御部５がメモリ・カード５０に格納されたデータを読み取る際のインタフェース部であって，前記メモリ・カード５０に所望の画像データを格納してメモリＩＦ部７に挿入し，制御部５に画像データを読み取らせることにより，代理画像の内容を任意に設定することができるようになって”いることを読み取ることができる。
オ　上記記載事項Ｃの，「制御部５は、音声認識部１０、代理画像メモリ１２、代理画像生成部１４、音声遅延処理部１６、送信画像設定部１８を備えている。」との記載，及び「代理画像メモリ１２は、上述した６種類の発音内容のそれぞれに対応する口の形状を有する６種類の代理画像（静止代理画像）を格納している。」との記載並びに上記ウの認定により，引用例１から“前記制御部５は，音声認識部１０，代理画像メモリ１２，代理画像生成部１４，音声遅延処理部１６，送信画像設定部１８を備え，前記代理画像メモリ１２は代理画像（静止代理画像）を格納”していることを読み取ることができる。
　また上記記載事項Ｃの，「なお、図２に示す例では、所定のキャラクタ画像を用いた代理画像が示されているが、これ以外にも、話者が自分で６種類の発音内容のそれぞれに対応した顔をカメラ１によって撮影して得られた画像や、デジタルカメラやスキャナ等を用いて作成された画像、あるいはインターネットなどの各種媒体を通じて入手した任意のキャラクタ画像（例えば、男性キャラクタ、女性キャラクタ、動物を模したキャラクタ、マンガ等の登場キャラクタなどの画像）などを代理画像として用いてもよい。」との記載により，引用例１から“前記代理画像は，話者が自分で６種類の発音内容のそれぞれに対応した顔をカメラ１によって撮影して得られた画像や，任意のキャラクタ画像などを代理画像として用いてもよ”いことを読み取ることができる。
カ　上記記載事項Ｄにより，引用例１から“着信時における話者は，最初に代理画像を送信し，話者の切替指示がなされた場合に話者の画像を送信することにより，話者のプライバシーを保護することができ，また発信時には，選択指示に応じて送信対象の画像を設定しているので，話者が自分の意志に沿って送信対象の画像を自由に設定することができ”ることを読み取ることができる。
キ　上記記載事項Ｅの「また、所定の発信操作が行われていない場合には、上述したステップ１００で否定判断が行われ、この場合に制御部５は、相手先からの電話を着信したか否かを判定する（ステップ１０５）。」との記載，及び「また、電話を着信した場合には、ステップ１０５で肯定判断が行われ、この場合に制御部５内の送信画像設定部１８は、送信対象とする画像の種別を自動的に代理画像に設定する（ステップ１０６）。」との記載並びに上記イ及びウの認定により，引用例１から“前記制御部５は，相手先からの電話を着信したか否かを判定し，電話を着信した場合には，前記制御部５内の送信画像設定部１８は，送信対象とする画像の種別を自動的に代理画像に設定”することを読み取ることができる。
ク　以上，上記ア乃至キの事項から，引用例１には，次の発明（以下「引用発明」という。）が記載されているといえる。
「話者の音声の内容に合わせて話者の代理画像を生成し，表示する代理画像表示装置，および話者の音声と話者の画像（または話者の代理画像）を互いに送受しながら通話を行うテレビ電話装置であって，
　従来，一般的なテレビ電話装置では，基本的に話者を撮影した画像をほぼそのまま通話相手に送るか，あるいは画像を送らないかの２通りを選択することができるようになっていて，プライバシー保護，あるいはエンターテイメント性の向上等の観点から，各種のキャラクタ画像を話者の画像を代理する代理画像として通話相手に送る手法が提案されていることを背景とし，
　前記テレビ電話装置は，カメラ１，ハンドセット２，表示部３，操作部４，制御部５，通信処理部６，メモリＩＦ（インタフェース）部７を含んで構成され，
　前記カメラ１は，テレビ電話装置を用いて通話を行う利用者（話者）を撮影するためのものであり，前記表示部３は，操作内容（例えば，電話番号等）やテレビ電話装置の動作状態などの表示を行い，通話相手から音声とともに画像が送られてきている場合に，この通話相手の画像を表示し，
　前記制御部５は，音声および画像を送受して通話を行うためにテレビ電話装置の全体動作を制御し，話者の音声と，カメラ１によって撮影される話者の画像（以後，「自画像」と称する），あるいはこの自画像の代わりとなる画像（以後，「代理画像」と称する）を通話相手に送信する処理を行うプログラムによって機能が実現され，前記テレビ電話装置は，前記プログラムによって制御されるコンピュータであり，
　通信処理部６は，制御部５から出力される画像（代理画像または自画像）および音声を通話相手に送信する処理と，通話相手から送られてくる画像および音声を受信して制御部５に出力する処理を行い，前記メモリＩＦ部７は，制御部５がメモリ・カード５０に格納されたデータを読み取る際のインタフェース部であって，前記メモリ・カード５０に所望の画像データを格納してメモリＩＦ部７に挿入し，制御部５に画像データを読み取らせることにより，代理画像の内容を任意に設定することができるようになっており，
　前記制御部５は，音声認識部１０，代理画像メモリ１２，代理画像生成部１４，音声遅延処理部１６，送信画像設定部１８を備え，前記代理画像メモリ１２は代理画像（静止代理画像）を格納し，
　前記代理画像は，話者が自分で６種類の発音内容のそれぞれに対応した顔をカメラ１によって撮影して得られた画像や，任意のキャラクタ画像などを代理画像として用いてもよく，
　着信時における話者は，最初に代理画像を送信し，話者の切替指示がなされた場合に話者の画像を送信することにより，話者のプライバシーを保護することができ，また発信時には，選択指示に応じて送信対象の画像を設定しているので，話者が自分の意志に沿って送信対象の画像を自由に設定することができ，
　前記制御部５は，相手先からの電話を着信したか否かを判定し，電話を着信した場合には，前記制御部５内の送信画像設定部１８は，送信対象とする画像の種別を自動的に代理画像に設定する
　テレビ電話装置。」
（３）引用例２に記載された事項
　原査定の拒絶の理由において引用した，本願の出願前に既に公知である，特開２００２−１２５２０８号公報（平成１４年４月２６日公開。以下，これを「引用例２」という。）には，関連する図面と共に，次の事項が記載されている。
Ｆ　「【０００１】
【発明の属する技術分野】
本発明は、電話機や携帯通信端末等にカメラ等の画像認識装置を具備させて、音声通話とともに画像を送受信して相手側の画像を表示し、ユーザらをカメラで撮影したカメラ画像を送信するというテレビ電話式の画像電話システム
…（中略）…
【０００６】
【
発明が解決しようとする課題
テレビ電話着信を受けた場合などでは、必ずユーザ自身（自分）の画像が相手に送られてしまう。このとき、自分の画像を相手に送信したくないような場合には、テレビ電話の着信を受けることができないか、もしくはテレビ電話として着信していても、画像を送信せずに普通の電話として応答するかしなくてはならなかった
Ｇ　「【００１１】図２は本発明による
画像電話システム
相手装置Ｂ（相手カメラ付ＴＶ電話端末）から自装置Ａ（自カメラ付ＴＶ電話端末）へテレビ電話の着信を受けたとき、相手装置Ｂは
カメラ画像と音声とを自装置Ａに送信してくる。これに対して自装置Ａでは、電話着信時にユーザをカメラ撮影した画像（カメラ画像）を相手装置Ｂに送信するのではなく、自装置Ａが装置内にあらかじめ保有して蓄積している画像情報３０（蓄積画像情報）の中から選択して指定した画像情情報を、相手装置Ｂに送信して、このテレビ電話を開始する
【００１２】図３は、図２による画像電話システムの動作イメージ図をフローチャート図として表したものである。これによれば
、「テレビ電話着信」がある（ステップＳ５１）と、ユーザに「テレビ電話着信」を通知する（ステップＳ５２）。そこでユーザは、「1)カメラ画像を使用する」か「2)蓄積されている画像を使用する」かのいずれかを選択してその指示を出す（ステップＳ５３）
　以上によれば，引用例２には，次の発明（以下，「引用発明２」という。）が記載されているといえる。
「電話機や携帯通信端末等にカメラ等の画像認識装置を具備させて，音声通話とともに画像を送受信して相手側の画像を表示し，ユーザらをカメラで撮影したカメラ画像を送信するというテレビ電話式の画像電話システムであって，
　従来，テレビ電話着信を受けた場合に，必ずユーザ自身（自分）の画像が相手に送られてしまい，自分の画像を相手に送信したくないような場合に，テレビ電話の着信を受けることができないか，もしくはテレビ電話として着信していても，画像を送信せずに普通の電話として応答するかしなくてはならなかったことを解決しようとすることを課題とし，
　前記画像電話システムは，相手装置Ｂ（相手カメラ付ＴＶ電話端末）から自装置Ａ（自カメラ付ＴＶ電話端末）へテレビ電話の着信を受けたとき，相手装置Ｂはカメラ画像と音声とを自装置Ａに送信し，自装置Ａでは，電話着信時にユーザをカメラ撮影した画像（カメラ画像）を相手装置Ｂに送信するのではなく，自装置Ａが装置内にあらかじめ保有して蓄積している画像情報３０（蓄積画像情報）の中から選択して指定した画像情情報を，相手装置Ｂに送信して，このテレビ電話を開始し，
　テレビ電話着信があると，ユーザにテレビ電話着信を通知し，ユーザは，カメラ画像を使用するか蓄積されている画像を使用するかのいずれかを選択してその指示を出す
　画像電話システム。」
４　対比
　本願発明と引用発明とを対比する。
（１）引用発明の「テレビ電話装置」は，「話者の音声の内容に合わせて話者の代理画像を生成し，表示する代理画像表示装置，および話者の音声と話者の画像（または話者の代理画像）を互いに送受しながら通話を行う」ものであり，当該「テレビ電話装置」の「通信処理部６」は，「制御部５から出力される画像（代理画像または自画像）および音声を通話相手に送信する処理」や「通話相手から送られてくる画像および音声を受信して制御部５に出力する処理を行」うものであることから，通信可能な２者によって用いられる装置であることは自明であり，通信を行う当該２者は，それぞれ“第１のユーザ”及び“第２のユーザ”といい得る。またそれぞれのユーザが用いる「テレビ電話装置」はそれぞれ，“第１のユーザに使用される第１の情報処理装置”及び“第２のユーザに使用される第２の情報処理装置”といい得る。
　また，当該「テレビ電話装置」の「制御部５」は，「音声および画像を送受して通話を行うためにテレビ電話装置の全体動作を制御し，話者の音声と，カメラ１によって撮影される話者の画像（以後，「自画像」と称する），あるいはこの自画像の代わりとなる画像（以後，「代理画像」と称する）を通話相手に送信する処理を行うプログラム」であることから，一方の「話者」が用いている「テレビ電話装置」が，“第１のユーザに使用される第１の情報処理装置”であり，「通話相手」が用いている「テレビ電話装置」が，“第２のユーザに使用される第２の情報処理装置”であるといえる。そして，引用発明の「テレビ電話装置」は，「前記プログラムによって制御されるコンピュータ」であることから，引用発明と本願発明とは，ともに“第１のユーザに使用される第１の情報処理装置であって，第２のユーザに使用される第２の情報処理装置と通信可能な第１の情報処理装置のコンピュータ”を有する点で一致するといえる。
（２）引用発明の「テレビ電話装置」に含まれる「カメラ１」は本願発明の「撮像手段」に相当する。また，当該「カメラ１」は，「テレビ電話装置を用いて通話を行う利用者（話者）を撮影するためのもの」であり，引用発明の「カメラ１によって撮影される話者の画像」である「自画像」は，本願発明の「第１のユーザに対応する第１の撮像画像」に相当する。さらに引用発明の「制御部５」は，「カメラ１によって撮影される話者の画像」を「通話相手に送信する処理を行う」ものであり，当該「送信する処理を行う」ために，当該「自画像」を取得する取得手段であるといえることから，引用発明と本願発明とは，“撮像手段により撮像された前記第１のユーザに対応する第１の撮像画像を取得する取得手段”を有する点で一致するといえる。
（３）引用発明の「制御部５」に「備え」られる「代理画像メモリ１２」には，「自画像の代わりとなる画像」である「代理画像」が「格納」されており，当該「代理画像は，話者が自分で６種類の発音内容のそれぞれに対応した顔をカメラ１によって撮影して得られた画像や，任意のキャラクタ画像などを代理画像として用いてもよ」いことから，本願発明の「前記取得手段により取得された第１の撮像画像に応じた第１のキャラクタ画像を決定する決定手段」における，「第１のキャラクタ画像」に相当する「代理画像」を決定しているといえるから，引用発明と本願発明とは，“前記取得手段により取得された第１の撮像画像に応じた第１のキャラクタ画像を決定する決定手段”を有する点で一致するといえる。
（４）引用発明の「表示部３」は，「通話相手から音声とともに画像が送られてきている場合に，この通話相手の画像を表示」するものであり，また，「通信処理部６」は，「制御部５から出力される画像（代理画像または自画像）および音声を通話相手に送信する処理」や「通話相手から送られてくる画像および音声を受信して制御部５に出力する処理を行」うことから，上記（１）における，「第１のユーザに使用される第１の情報処理装置」及び「第２のユーザに使用される第２の情報処理装置」に関する対比を踏まえるならば，「通話相手」が本願発明の「第２のユーザ」に相当し，当該「通話相手」と「通話を行う利用者（話者）」が本願発明の「第１のユーザ」に相当する。
　そして，引用発明の「通信処理部６」が，「制御部５から出力される画像（代理画像または自画像）および音声を通話相手に送信する処理」を行うことは，引用発明が「話者の音声の内容に合わせて話者の代理画像を生成し，表示する代理画像表示装置，および話者の音声と話者の画像（または話者の代理画像）を互いに送受しながら通話を行うテレビ電話装置」であることを踏まえれば，送信先の「テレビ電話装置」において，当該「送信」を行った「制御部５から出力される画像（代理画像または自画像）および音声」が再生されるものであることを理解することができるから，引用発明は，本願発明の「前記第２のユーザとのコミュニケーションにおいて、前記第１のユーザに対応する前記第１の撮像画像と前記第１のキャラクタ画像の少なくともいずれかを前記第２の情報処理装置に表示させる」表示制御と同等の制御が行われているといえるとともに，「当該第２のユーザに対応する第２の撮像画像と当該第２の撮像画像に応じた第２のキャラクタ画像の少なくともいずれかを前記第１の情報処理装置に表示させるように制御する」表示制御と同等の制御が行われているといえることから，以上総合すれば，引用発明と本願発明とは，“前記第２のユーザとのコミュニケーションにおいて，前記第１のユーザに対応する前記第１の撮像画像と前記第１のキャラクタ画像の少なくともいずれかを前記第２の情報処理装置に表示させるとともに，当該第２のユーザに対応する第２の撮像画像と当該第２の撮像画像に応じた第２のキャラクタ画像の少なくともいずれかを前記第１の情報処理装置に表示させるように制御する表示制御手段”を有する点で一致するといえる。
（５）引用発明は，「着信時における話者」は，「最初に代理画像を送信し，話者の切替指示がなされた場合に話者の画像を送信することにより，話者のプライバシーを保護することができ」るとともに，「発信時」には，「選択指示に応じて送信対象の画像を設定しているので，話者が自分の意志に沿って送信対象の画像を自由に設定することができ」るものであり，上記（４）の認定を踏まえると，本願発明の「前記表示制御手段は、前記第２の情報処理装置からの着信時における前記第１のユーザの操作に応じて、前記第１の撮像画像と前記第１のキャラクタ画像のいずれかを選択的に表示させる」構成とは，下記の点で相違するものの，“前記表示制御手段は，前記第２の情報処理装置からの着信時において，第１のユーザの操作に応じて，前記第１の撮像画像と前記第１のキャラクタ画像のいずれかを表示させる”点で一致するといえる。
（６）引用発明の「制御部５」は，「音声および画像を送受して通話を行うためにテレビ電話装置の全体動作を制御し，話者の音声と，カメラ１によって撮影される話者の画像（以後，「自画像」と称する），あるいはこの自画像の代わりとなる画像（以後，「代理画像」と称する）を通話相手に送信する処理を行うプログラムによって機能が実現され」るものであり，当該「プログラム」は，上記（２）乃至（４）において対比した各手段を，「テレビ電話装置」において機能させるプログラムであるといえることから，（１）の対比を踏まえれば，引用発明と本願発明とは，全体として，“第１の情報処理装置のコンピュータを，上記取得手段と，上記決定手段と，上記表示制御手段として機能させるためのプログラム”である点で一致するといえる。
（７）以上，（１）乃至（６）の検討から，引用発明と本願発明とは，次の一致点及び相違点を有する。
〈一致点〉
　第１のユーザに使用される第１の情報処理装置であって，第２のユーザに使用される第２の情報処理装置と通信可能な第１の情報処理装置のコンピュータを，
　撮像手段により撮像された前記第１のユーザに対応する第１の撮像画像を取得する取得手段と，
　前記取得手段により取得された第１の撮像画像に応じた第１のキャラクタ画像を決定する決定手段と，
　前記第２のユーザとのコミュニケーションにおいて，前記第１のユーザに対応する前記第１の撮像画像と前記第１のキャラクタ画像の少なくともいずれかを前記第２の情報処理装置に表示させるとともに，当該第２のユーザに対応する第２の撮像画像と当該第２の撮像画像に応じた第２のキャラクタ画像の少なくともいずれかを前記第１の情報処理装置に表示させるように制御する表示制御手段
　として機能させるためのプログラムであって，
　前記表示制御手段は，前記第２の情報処理装置からの着信時において，第１のユーザの操作に応じて，前記第１の撮像画像と前記第１のキャラクタ画像のいずれかを表示させる
　プログラム。
〈相違点〉
　本願発明が，「前記表示制御手段は、前記第２の情報処理装置からの着信時における前記第１のユーザの操作に応じて、前記第１の撮像画像と前記第１のキャラクタ画像のいずれかを選択的に表示させる」ものであるのに対し，引用発明は，「着信時における話者は，最初に代理画像を送信し，話者の切替指示がなされた場合に話者の画像を送信することにより，話者のプライバシーを保護することができ，また発信時には，選択指示に応じて送信対象の画像を設定しているので，話者が自分の意志に沿って送信対象の画像を自由に設定することができ」たり，「前記制御部５は，相手先からの電話を着信したか否かを判定し，電話を着信した場合には，前記制御部５内の送信画像設定部１８は，送信対象とする画像の種別を自動的に代理画像に設定」したりするものの，第２の情報処理装置からの
着信時における第１のユーザの操作に応じて
選択的に
５　判断
　上記相違点につき検討する。
　引用例２には，上記３（３）に示した引用発明２が記載されている。引用発明と引用発明２とは，ともに音声通話と同時に画像による通話を行うテレビ電話であるという技術分野が共通する。引用発明２は，「従来，テレビ電話着信を受けた場合に，必ずユーザ自身（自分）の画像が相手に送られてしまい，自分の画像を相手に送信したくないような場合に，テレビ電話の着信を受けることができないか，もしくはテレビ電話として着信していても，画像を送信せずに普通の電話として応答するかしなくてはならなかった」という課題に対し，「相手装置Ｂ（相手カメラ付ＴＶ電話端末）から自装置Ａ（自カメラ付ＴＶ電話端末）へテレビ電話の着信を受けたとき，相手装置Ｂはカメラ画像と音声とを自装置Ａに送信し，自装置Ａでは，電話着信時にユーザをカメラ撮影した画像（カメラ画像）を相手装置Ｂに送信するのではなく，自装置Ａが装置内にあらかじめ保有して蓄積している画像情報３０（蓄積画像情報）の中から選択して指定した画像情情報を，相手装置Ｂに送信して，このテレビ電話を開始」するとともに，「テレビ電話着信があると，ユーザにテレビ電話着信を通知し，ユーザは，カメラ画像を使用するか蓄積されている画像を使用するかのいずれかを選択してその指示を出す」ものであり，これは，着信時のユーザの操作に応じて，「カメラ画像」又は「蓄積されている画像」を選択的に表示させる（以下，「選択表示の技術」という。）ものであるといえる。
　一方，引用発明は，「従来，一般的なテレビ電話装置では，基本的に話者を撮影した画像をほぼそのまま通話相手に送るか，あるいは画像を送らないかの２通りを選択することができるようになっていて，プライバシー保護，あるいはエンターテイメント性の向上等の観点から，各種のキャラクタ画像を話者の画像を代理する代理画像として通話相手に送る手法が提案されていることを背景」とし，「着信時における話者」は，「最初に代理画像を送信し，話者の切替指示がなされた場合に話者の画像を送信することにより，話者のプライバシーを保護することができ，また発信時には，選択指示に応じて送信対象の画像を設定しているので，話者が自分の意志に沿って送信対象の画像を自由に設定することができ」ることから，着信時に「代理画像」又は「話者の画像」の送信を行っていて，当該画像は，通信先である相手方のテレビ電話装置において表示されるものであることが理解されるから，上記のとおり，音声通話と同時に画像による通話を行うテレビ電話という技術分野が共通する引用発明２の上記選択表示の技術を，引用発明において採用して本願発明を想到することは，当業者にとって容易であったといえる。
　以上検討したとおり，相違点は格別なものではなく，またそのことによる効果も，当業者であれば普通に想起し得る程度のことに過ぎない。
　したがって，本願発明は，引用発明及び引用発明２に基づいて，当業者が容易に発明をすることができたものであり，特許法２９条２項の規定により，特許を受けることができないものである。
第４　むすび
　以上のとおり，本願発明は，本願出願前に頒布された引用例１及び２に記載された発明に基づいて当業者が容易に発明をすることができたものであるから，特許法２９条２項の規定により特許を受けることができない。
　したがって，その余の請求項に係る発明について論及するまでもなく，本願は拒絶すべきものである。
　よって，結論のとおり審決する。